(57)【要約】【課題】タイルをしっかりと固定金具に取り付けることのできるタイルの取付構造を提供する。【解決手段】係止部４を備えた固定金具２を横幅全長に亘って壁面１に貼り付け、係止部４にタイル３の係合部９を係合させて取り付けるタイル３の取付構造であって、固定金具２は表面側に略水平な係止部４を備えると共に、係止部４に対して略平行に複数の孔部５を備え、タイル３は固定金具２の係止部４に対向して裏面側に係合部９を備えており、タイル３の係合部９を係止部４に係合させると共に、タイル３を壁面１に押し付けることにより、孔部５の表面側に添着した接着剤８を孔部５から固定金具２の裏面側に廻り込ませて固定金具２とタイル３とを接着し、タイル３を固定金具２に取り付けるようにした。【選択図】　　　図１
2004060211.tif 000002
【特許請求の範囲】
【請求項１】
係止部を備えた固定金具を横幅略全長に亘って壁面に貼り付け、係止部にタイルの係合部を係合させて取り付けるタイルの取付構造であって、固定金具は表面側に略水平な係止部を備えると共に、係止部に対して略平行に複数の孔部を備え、タイルは固定金具の係止部に対向して裏面側に係合部を備えており、タイルの係合部を係止部に係合させると共に、タイルを壁面に押し付けることにより、孔部の表面側に添着した接着剤を孔部から固定金具の裏面側に廻り込ませて固定金具とタイルとを接着し、タイルを固定金具に取り付けるようにしたことを特徴とするタイルの取付構造。
【請求項２】
固定金具は、壁面の横幅と略同一の長さを有することを特徴とする請求項１に記載のタイルの取付構造。
【請求項３】
固定金具の表面に、係止部と略平行に凸部を設けると共に、タイルの裏面側に凸部に対向して凹部を設けたことを特徴とする請求項１又は２に記載のタイルの取付構造。
【請求項４】
孔部の近傍に、凸部を孔部の上下に夫々少なくとも一個設けると共に、凸部に対向してタイルの凹部を複数個設けたことを特徴とする請求項３に記載のタイルの取付構造。
【請求項５】
固定金具の垂直方向に複数の孔部を略同一直線上に断続して設けたことを特徴とする請求項１乃至４に記載のタイルの取付構造。
【発明の詳細な説明】
【０００１】
【発明の属する技術分野】
本発明は、壁面に取り付けるタイルの取付構造に関する。
【０００２】
【従来の技術】
従来より、図６に示す通り、固定金具１０２を壁面１０１に押し付け、固定金具１０２のビス孔１１１にビス１１４を打ち込んで固定金具１０２を壁面１０１に取り付け、タイル１０３の裏面側の係合部１０９に接着剤１０８を塗布し、タイル１０３の係合部１０９を固定金具１０２の係止部１０４に係合させて、タイル１０３を固定金具１０２に取り付けていた。この場合、接着剤１０８がタイル１０３の裏面側にある係合部１０９の表面側にだけしか付着していないので、接着剤１０８が剥がれやすく、係合部１０９の接着剤１０８が剥がれてしまうと、固定金具１０２の係止部１０４とタイル１０３の係合部との係合だけでタイル１０３は保持されているので、タイル１０３が剥がれやすくなるという問題がある。
【０００３】
【発明が解決しようとする課題】
本発明は、上記の問題点を解消するためのもので、タイルをしっかりと固定金具に取り付けることのできるタイルの取付構造を提供するものである。
【０００４】
【課題を解決するための手段】
本発明の請求項１記載のタイルの取付構造は、係止部を備えた固定金具を横幅略全長に亘って壁面に貼り付け、係止部にタイルの係合部を係合させて取り付けるタイルの取付構造であって、固定金具は表面側に略水平な係止部を備えると共に、係止部に対して略平行に複数の孔部を備え、タイルは固定金具の係止部に対向して裏面側に係合部を備えており、タイルの係合部を係止部に係合させると共に、タイルを壁面に押し付けることにより、孔部の表面側に添着した接着剤を孔部から固定金具の裏面側に廻り込ませて固定金具とタイルとを接着し、タイルを固定金具に取り付けるようにしたことを特徴とする。
【０００５】
このものにあっては、タイルの係合部を係止部に係合させると共に、タイルを壁面に押し付けることにより、固定金具の表面に添着した接着剤が固定金具の孔部から固定金具の裏面側にも広がるので、固定金具から接着剤が剥がれにくくなり、固定金具とタイルとの接着力が高まる。
【０００６】
本発明の請求項２に記載のタイルの取付構造は、請求項１に記載のタイルの取付構造において、固定金具は壁面の横幅と略同一の長さを有することを特徴とする。
【０００７】
このものにあっては、固定金具が壁面の横幅と略同一の長さを有し、係止部を略水平に設けているので、固定金具の取付が位置ずれすることがなくなり、係止部にタイルの係合部を係合させるだけで、複数のタイルを略水平に位置ずれすることなく取り付けることができる。
【０００８】
本発明の請求項３に記載のタイルの取付構造は、請求項１又は２に記載のタイルの取付構造において、固定金具の表面に、係止部と略平行に凸部を設けると共に、タイルの裏面側に凸部に対向した凹部を設けたことを特徴とする。
【０００９】
このものにあっては、タイルの凹部を固定金具の凸部に係合することにより、タイルのガタツキが少なくなり、タイルを固定しやすくなる。
【００１０】
本発明の請求項４に記載のタイルの取付構造は、請求項３に記載のタイルの取付構造において、孔部の近傍に、凸部を孔部の上下に夫々少なくとも一個設けると共に、凸部に対向したタイルの凹部を複数個設けたことを特徴とする。
【００１１】
このものにあっては、孔部の近傍に、凸部を孔部の上下に夫々少なくとも一個設け、この凸部にタイルの凹部を係合することにより、タイルのガタツキが更に少なくなり、タイルを更に固定しやすくなると共に、孔部の表面側に添着した接着剤の逃げる空間が狭くなるので、タイルを壁面に押し付けると接着剤への圧力が増し、接着剤が固定金具の孔部から裏面側に広がり易くなるので、固定金具とタイルとの接着力が更に高まる。
【００１２】
本発明の請求項５に記載のタイルの取付構造は、請求項１乃至４に記載のタイルの取付構造において、固定金具の垂直方向に複数の孔部を略同一直線上に断続して設けたことを特徴とする。
【００１３】
このものにあっては、固定金具の垂直方向に複数の孔部を略同一直線上に設けるので、固定金具を所定の長さに切断しやすくなると共に、固定金具を折り曲げて、壁面のコーナー部に固定金具の折り曲げ部分の裏面側を沿わせることにより、壁面のコーナー部での施工作業がしやすくなる。
【００１４】
【発明の実施の形態】
以後、本発明の実施形態を、図を用いて説明する。
【００１５】
図１、図２、又は図４は、本発明の実施形態に係るタイルの取付構造の第一の実施例を示すものである。
【００１６】
壁面１を壁材または下地材で構成し、壁面１の横幅略全長に亘って複数の固定金具２を取り付けている。
【００１７】
固定金具２は、横長の金属板であり、、表面側に略水平な二つの凸部６と、凸部６の上に凸部６と略平行な複数の係止部４とを備えている。二つの凸部６の間には、凸部６と略平行に固定金具２の両端に亘って断続的に複数の孔部５を設けている。尚、孔部５は二つの凸部６の近傍に位置している。
【００１８】
係止部４は、固定金具２の上部に、下方の１辺のみ切断せずに四辺形の孔を開けて、残った四辺形部分を前方に折り曲げて設ける。尚、固定金具２に四辺形の孔を設けずに、固定金具２の前方に突出した係止部４をプレス成型で設けても良い。
【００１９】
タイル３は、四辺形形状のもので、その長さは壁面の横幅に比べ十分短いものである。タイル３は、固定金具２の係止部４と係合する係合部９と、固定金具２の凸部６と係合する二つの凹部１０とを裏面側に備えている。係合部９はタイル３の両端に亘って一直線であると共に、凹部１０は係合部９と略平行である。尚、係合部９が凹部１０と同じ形状をしていても良い。
【００２０】
また、固定金具２の中程に、垂直方向に断続して複数の孔部７があり、この穴部７は略同一直線上にある。孔部７の両端からの位置は壁面１の幅やタイル３の長さ等によって決まる。尚、図３に示す通り、孔部７は縦長になっていても良い。
【００２１】
また、固定金具２の孔部７の左右に、それぞれビス孔１１を固定金具２の上下に二個設けていて、それぞれのビス孔１１を結ぶ直線は、略垂直となっている。尚、固定金具２の上下に設けたビス孔１１は、孔部７の周辺以外でも、固定金具２の両端部や、固定金具２の横幅方向に所定の間隔で二個ずつ設けても良い。
【００２２】
次にタイル３の取付構造について説明する。
【００２３】
まず、壁面１に固定金具２を押し付け、固定金具のビス孔１１にビス１４を打ち込んで、固定金具２を壁面１に取り付ける。
【００２４】
次に、固定金具２の二つの凸部６に挟まれた孔部５の表面側に接着剤８を添着し、タイル３の係合部９を固定金具２の係止部４に係合した後、タイル３を壁面１に押し付けて、タイル３の二つの凹部１０を固定金具２の凸部６に係合することにより、固定金具２の孔部５の表面側に添着した接着剤８を、孔部５から固定金具２の裏面側に廻り込ませて、固定金具２をタイル３に接着し、タイル３を固定金具２に取り付ける。
【００２５】
したがって、固定金具２孔部５の近傍で、孔部５の上下に凸部６を設け、凸部６に係合する複数の凹部１０をタイル３に設けているので、タイル３を壁面１に押し付けて、凹部１０を凸部６に係合すると、孔部５の表面側に添着した接着剤８の逃げる空間が少なくなるので、接着剤８への圧力が増し、接着剤８が固定金具２の裏面側に広がり易くなるので、固定金具２とタイル３との接着力が高まる。
【００２６】
また、タイル３の二つの凹部１０を固定金具２の凸部６に係合することにより、タイル３のガタツキが少なくなり、タイル３を固定しやすくなる。
【００２７】
更に、固定金具２の垂直方向に、複数の孔部７を略同一直線上に設けているので、固定金具２を所定の長さに切断しやすくなると共に、固定金具２を折り曲げて、壁面１のコーナー部に固定金具２の折り曲げ部分の裏面側を沿わせることにより、壁面１のコーナー部での施工作業がしやすくなる。
【００２８】
次に、図５は本発明の実施形態に係るタイルの取付構造の第二の実施例を示すものである。第一の実施例と同じものには、同符合を付して説明を省略する。第一の実施例と異なる点は、壁面１の横幅と略同一の長さを有する固定金具２を設けると共に、固定金具２の両端に亘って複数個の係止部４を設けたことである。
【００２９】
したがって、固定金具２が壁面１の横幅と略同一の長さを有し、固定金具２に係止部４を略水平に複数個設けているので、係止部４にタイルの係合部９を係合させるだけで、位置ずれすることなく複数のタイル３を略水平に取り付けることができる。
【００３０】
【発明の効果】
以上の説明により、本発明の請求項１記載のタイルの取付構造によると、タイルの係合部を係止部に係合させると共に、タイルを壁面に押し付けることにより、固定金具の表面に添着した接着剤が固定金具の孔部から固定金具の裏面側にも広がるので、固定金具から接着剤が剥がれにくくなり、固定金具とタイルとの接着力が高まる。
【００３１】
本発明の請求項２に記載のタイルの取付構造によると、固定金具が壁面の横幅と略同一の長さを有し、係止部を略水平に設けているので、係止部にタイルの係合部を係合させるだけで、位置ずれすることなく複数のタイルを略水平に取り付けることができる。
【００３２】
本発明の請求項３に記載のタイルの取付構造によると、タイルの凹部を固定金具の凸部に係合することにより、タイルのガタツキが少なくなり、タイルを固定しやすくなる。
【００３３】
本発明の請求項４に記載のタイルの取付構造によると、孔部の近傍に、凸部を孔部の上下に夫々少なくとも一個設け、この凸部にタイルの凹部を係合することにより、タイルのガタツキが更に少なくなり、タイルを更に固定しやすくなると共に、接着剤の逃げる空間が狭くなるので、タイルを壁面に押し付けると孔部の表面側に添着した接着剤への圧力が増し、接着剤が固定金具の孔部から裏面側に広がり易くなるので、固定金具とタイルとの接着力が更に高まる。
【００３４】
本発明の請求項５に記載のタイルの取付構造によると、固定金具の垂直方向に複数の孔部を略同一直線上に設けるので、固定金具を所定の長さに切断しやすくなると共に、固定金具を折り曲げて、壁面のコーナー部に固定金具の折り曲げ部分の裏面側を沿わせることにより、壁面のコーナー部での施工作業がしやすくなる。
【図面の簡単な説明】
【図１】本発明の実施形態係るタイルの取付構造の第一実施例を示す縦断面図であって、（ａ）はタイルを壁面に押し付ける前の状態、（ｂ）はタイルを壁面に押し付けている状態、（ｃ）はタイルを壁面に押し付けた後の状態を示すものである。
【図２】同上のタイルの取付構造の第一実施例を示す固定金具の正面図である。
【図３】同上の固定金具の別例を示した正面図である。
【図４】同上のタイルの取付構造の第一実施例を示す斜視図である。
【図５】同上のタイルの取付構造の第二実施例を示す斜視図である。
【図６】従来のタイルの取付構造を示す斜視図である。
【符号の説明】
１　　　壁面
２　　　固定金具
３　　　タイル
４　　　係止部
５　　　孔部
６　　　凸部
７　　　孔部
８　　　接着剤
９　　　係合部
１０　　凹部
【図１】
2004060211.tif 000003
【図２】
2004060211.tif 000004
【図３】
2004060211.tif 000005
【図４】
2004060211.tif 000006
【図５】
2004060211.tif 000007
【図６】
2004060211.tif 000008